(57)【要約】【課題】本発明は旅用バックパックを開示した。【解決手段】バックパックを含み、前記バックパックには使い易い外側部品が設けられ、前記外側部品は前記バックパックの右側端面に固定的に設けられる放熱エリアを含み、前記放熱エリアは汗が出る時に放熱することができ、前記バックパックの右側端面には肩ベルトが固定的に取り付けられ、前記肩ベルトには肩への圧力を軽減するためのスポンジバブルが固定的に設けられ、前記肩ベルトの右側端面にはペンなどの小物を一時的に置くための一時袋が固定的に設けられ、前記バックパックの中には第一仕切布が固定的に設けられ、前記第一仕切布は前記バックパックの内部を第一置きエリアと第二置きエリアとに分割し、前記第一置きエリアの中には文書収納部品が設けられる。【選択図】図１
2020157023.tif 000002
【特許請求の範囲】
【請求項１】
バックパックを含み、前記バックパックには使い易い外側部品が設けられ、前記外側部品は前記バックパックの右側端面に固定的に設けられる放熱エリアを含み、前記放熱エリアは汗が出る時に放熱することができ、前記バックパックの右側端面には肩ベルトが固定的に取り付けられ、前記肩ベルトには肩への圧力を軽減するためのスポンジバブルが固定的に設けられ、前記肩ベルトの右側端面にはペンなどの小物を一時的に置くための一時袋が固定的に設けられ、前記バックパックの中には第一仕切布が固定的に設けられ、前記第一仕切布は前記バックパックの内部を第一置きエリアと第二置きエリアとに分割し、前記第一置きエリアの中には文書収納部品が設けられ、前記文書収納部品は前記第一置きエリアの右側内壁に固定的に取り付けられる第一仕切板を含み、前記第一仕切板の左側には前記第一仕切板と連結される第二仕切板が設けられ、前記第二仕切板には通気することができる通気孔が設けられ、前記第一仕切板と前記第二仕切板との間にはコンピュータを置くことができ、前記第二仕切板の右側端面には前記第一仕切板と前記第二仕切板とをきつく引っかかることができる挟みロッドが固定的に取り付けられ、前記第二仕切板の左側端面にはチラシファイルを載せることができるフォルダが固定的に取り付けられ、フォルダの前側端面には固定台が固定的に取り付けられ、前記固定台の中には引掛り歯溝が上下に対称的に設けられ、前記引掛り歯溝の中にはスライド引掛り歯がスライドできるように係合取り付けられ、前記スライド引掛り歯の後側端面には連結ロッドがヒンジで連結されて取り付けられ、前記連結ロッドにはチラシファイルをきつく挟むことができる挟みがヒンジで連結されて取り付けられ、前記引掛り歯溝の右側には第一チャンバが設けられ、前記第一チャンバと前記引掛り歯溝との間にはスライドロッドがスライドできるように係合取り付けられ、前記スライドロッドの右側端面には前記スライド引掛り歯を引っかからせることができる固定引掛り歯が固定的に取り付けられ、前記第一チャンバの左側内壁には前記第一チャンバと連通しているスライドロッド溝が設けられ、前記スライドロッドは前記スライドロッド溝とスライドできるように係合取り付けられ、前記スライドロッド溝の左側内壁と前記スライドロッドとの間にはプッシュばねが固定的に取り付けられ、前記スライドロッドの前側端面にはプッシュブロックが固定的に取り付けられ、前記第一チャンバと前記固定台の一側端面との間には前記固定引掛り歯と前記スライド引掛り歯が引っかかる状態から離脱すること制御することができるプッシュロッドがスライドできるように係合取り付けられ、前記プッシュロッドは前記プッシュブロックとスライドできるように係合取り付けられ、前記第二置きエリアの中には他収納部品が設けられ、前記他収納部品は前記第二置きエリアの内部に設けられる第二仕切布を含み、前記第一仕切布の左側端面にはペンを置くことができるペンポケットが設けられ、前記バックパックには第一ファスナーと第二ファスナーとが固定的に連結され、前記第二置きエリアの底壁には可動式電源に連結することができるプラグが設けられ、前記プラグには充電ケーブルが固定的に連結され、前記充電ケーブルが前記バックパックの内部に固定的に取り付けられ、前記バックパックの右側端面には充電することができる充電ポートが設けられ、前記充電ポートは前記充電ケーブルと固定的に連結されていることを特徴とする旅用バックパック。
【請求項２】
前記文書収納部品は前記第一仕切板の中に設けられる第二チャンバも含み、前記第二チャンバの底壁には前記第二チャンバと連通しているスライダー溝が設けられ、前記スライダー溝の中にはスライダーがスライドできるように係合取り付けられ、前記スライダーと前記スライダー溝の底壁との間には引掛りばねが固定的に取り付けられ、前記挟みロッドは前記第一仕切板とスライドできるように係合され、前記挟みロッドには第一固定ピンが設けられ、前記第一固定ピンは前記スライダーの引掛り溝に引っかかることができ、前記第二チャンバの左内壁と前記第一仕切板の側端面との間にはボタンがスライドできるように係合取り付けられ、前記ボタンには第二固定ピンが固定的に取り付けられ、前記第二固定ピンは前記スライダーとスライドできるように係合取り付けられ、前記第二仕切板の右側端面にはスライド挟みが上下に対称的にスライドできるように係合取り付けられ、前記第一仕切布の右側端面には文書ポケットが固定的に取り付けられ、前記バックパックには前記第一置きエリアを開けることができる第三ファスナーが固定的に取り付けられ、それにより、第三ファスナーが引き離された後、第一置きエリアの内部にオフィス文書を置くことができ、ボタンを押すと、ボタンと第二固定ピンとがスライダーを押し下降させ、スライダーの引掛り溝と第一固定ピンとが引っかからなくなり、挟みロッドは第一仕切板から取り出すことができ、コンピュータは第一仕切板の右側端面に置くことができ、スライド挟みはコンピュータを挟み、コンピュータを置いた後に挟みロッドを第一仕切板の中に押し込み、第一固定ピンはスライダーときつく引っかかり、コンピュータが置かれ、フォルダを開き、プッシュロッドを押すと、プッシュロッドはスライドロッドを押し動かして左に移動させ、固定引掛り歯とスライド引掛り歯とが引っかからなくなり、挟みを左に引き、ルーズリーフファイルをフォルダに置き、入れた後、挟みを押し、挟みはスライド引掛り歯を押し動かして上下両側に移動させ、そして、固定引掛り歯と引っかかり、挟みはフォルダーをしっかりと挟むことができることを特徴とする請求項１に記載の旅用バックパック。
【発明の詳細な説明】
【技術分野】
【０００１】
本発明は生活用品分野を取り上げて、具体的には旅用バックパックである。
【背景技術】
【０００２】
出張では、バックパックの中には通常いくつかのファイルがあり、現在、旅用バックパックの中には書類や他の本が積まれているとき、ファイルや本が折りたたまれることが時々発生し、保管をきれいにしなく、バックパックの中には開口が小さく、バックパックの内部の私物は事務用品と混合され、見つけにくく、バックパックに入れたものが重すぎると、肩ひもは肩に痛みを感じさせることがあり、長期使用には適しない。
【先行技術文献】
【特許文献】
【０００３】
【特許文献１】中国特許出願公開第１０４４３３１２０号明細書
【発明の概要】
【発明が解決しようとする課題】
【０００４】
本発明は旅用バックパックを提供し、上記現在の技術中の問題を解決し、設備の実用性を高めることを目的とする。
【課題を解決するための手段】
【０００５】
本発明の旅用バックパックは、バックパックを含み、前記バックパックには使い易い外側部品が設けられ、前記外側部品は前記バックパックの右側端面に固定的に設けられる放熱エリアを含み、前記放熱エリアは汗が出る時に放熱することができ、前記バックパックの右側端面には肩ベルトが固定的に取り付けられ、前記肩ベルトには肩への圧力を軽減するためのスポンジバブルが固定的に設けられ、前記肩ベルトの右側端面にはペンなどの小物を一時的に置くための一時袋が固定的に設けられ、前記バックパックの中には第一仕切布が固定的に設けられ、前記第一仕切布は前記バックパックの内部を第一置きエリアと第二置きエリアとに分割し、前記第一置きエリアの中には文書収納部品が設けられ、前記文書収納部品は前記第一置きエリアの右側内壁に固定的に取り付けられる第一仕切板を含み、前記第一仕切板の左側には前記第一仕切板と連結される第二仕切板が設けられ、前記第二仕切板には通気することができる通気孔が設けられ、前記第一仕切板と前記第二仕切板との間にはコンピュータを置くことができ、前記第二仕切板の右側端面には前記第一仕切板と前記第二仕切板とをきつく引っかかることができる挟みロッドが固定的に取り付けられ、前記第二仕切板の左側端面にはチラシファイルを載せることができるフォルダが固定的に取り付けられ、フォルダの前側端面には固定台が固定的に取り付けられ、前記固定台の中には引掛り歯溝が上下に対称的に設けられ、前記引掛り歯溝の中にはスライド引掛り歯がスライドできるように係合取り付けられ、前記スライド引掛り歯の後側端面には連結ロッドがヒンジで連結されて取り付けられ、前記連結ロッドにはチラシファイルをきつく挟むことができる挟みがヒンジで連結されて取り付けられ、前記引掛り歯溝の右側には第一チャンバが設けられ、前記第一チャンバと前記引掛り歯溝との間にはスライドロッドがスライドできるように係合取り付けられ、前記スライドロッドの右側端面には前記スライド引掛り歯を引っかからせることができる固定引掛り歯が固定的に取り付けられ、前記第一チャンバの左側内壁には前記第一チャンバと連通しているスライドロッド溝が設けられ、前記スライドロッドは前記スライドロッド溝とスライドできるように係合取り付けられ、前記スライドロッド溝の左側内壁と前記スライドロッドとの間にはプッシュばねが固定的に取り付けられ、前記スライドロッドの前側端面にはプッシュブロックが固定的に取り付けられ、前記第一チャンバと前記固定台の一側端面との間には前記固定引掛り歯と前記スライド引掛り歯が引っかかる状態から離脱すること制御することができるプッシュロッドがスライドできるように係合取り付けられ、前記プッシュロッドは前記プッシュブロックとスライドできるように係合取り付けられ、前記第二置きエリアの中には他収納部品が設けられ、前記他収納部品は前記第二置きエリアの内部に設けられる第二仕切布を含み、前記第一仕切布の左側端面にはペンを置くことができるペンポケットが設けられ、前記バックパックには第一ファスナーと第二ファスナーとが固定的に連結され、前記第二置きエリアの底壁には可動式電源に連結することができるプラグが設けられ、前記プラグには充電ケーブルが固定的に連結され、前記充電ケーブルが前記バックパックの内部に固定的に取り付けられ、前記バックパックの右側端面には充電することができる充電ポートが設けられ、前記充電ポートは前記充電ケーブルと固定的に連結されている。
【０００６】
前記文書収納部品は前記第一仕切板の中に設けられる第二チャンバも含み、前記第二チャンバの底壁には前記第二チャンバと連通しているスライダー溝が設けられ、前記スライダー溝の中にはスライダーがスライドできるように係合取り付けられ、前記スライダーと前記スライダー溝の底壁との間には引掛りばねが固定的に取り付けられ、前記挟みロッドは前記第一仕切板とスライドできるように係合され、前記挟みロッドには第一固定ピンが設けられ、前記第一固定ピンは前記スライダーの引掛り溝に引っかかることができ、前記第二チャンバの左内壁と前記第一仕切板の側端面との間にはボタンがスライドできるように係合取り付けられ、前記ボタンには第二固定ピンが固定的に取り付けられ、前記第二固定ピンは前記スライダーとスライドできるように係合取り付けられ、前記第二仕切板の右側端面にはスライド挟みが上下に対称的にスライドできるように係合取り付けられ、前記第一仕切布の右側端面には文書ポケットが固定的に取り付けられ、前記バックパックには前記第一置きエリアを開けることができる第三ファスナーが固定的に取り付けられている。
【発明の効果】
【０００７】
本発明の有益な効果は：本発明は、チラシファイルを直接しっかりと配置することができ、ファイルに折り込みなどの欠陥がないようにし、コンピュータはバックパックに固定されることができ、壊れにくく、ファイルエリアは他のエリアとが分離されており、使いやすく、充電ポートは接触しやすいエリアに設けられ、肩ベルトには肩への圧力を軽減するためのスポンジバブルが設けられ、バックパックの使用を人々のニーズにより適したものにし、宣伝価値がある。
【図面の簡単な説明】
【０００８】
【図１】図１は本発明の全体構造の概略図である；
【図２】図２は図１のＡ―Ａの断面構造概略図である；
【図３】図３は図１のＢの拡大構造略図である；
【図４】図４は図１のＣの拡大構造図である。
【図５】図５は図１のＤの拡大構造略図である；
【図６】図６は図２のＥ―Ｅの断面構造図である。
【発明を実施するための形態】
【０００９】
下記に図１〜６を合わせて本発明を詳しく説明する。説明を便利にさせるように、ここで後文に出る方位を下記の通りに規定する：下記の上下左右前後という方向は図１自身の投影関係の上下左右前後の方向と一致している。
【００１０】
図１〜６を参照し、本発明の実施例の旅用バックパックは、バックパック１０を含み、前記バックパック１０には使い易い外側部品８０が設けられ、前記外側部品８０は前記バックパック１０の右側端面に固定的に設けられる放熱エリア２５を含み、前記放熱エリア２５は汗が出る時に放熱することができ、前記バックパック１０の右側端面には肩ベルト１６が固定的に取り付けられ、前記肩ベルト１６には肩への圧力を軽減するためのスポンジバブル１７が固定的に設けられ、前記肩ベルト１６の右側端面にはペンなどの小物を一時的に置くための一時袋１８が固定的に設けられ、前記バックパック１０の中には第一仕切布１５が固定的に設けられ、前記第一仕切布１５は前記バックパック１０の内部を第一置きエリア２０と第二置きエリア２１とに分割し、前記第一置きエリア２０の中には文書収納部品８１が設けられ、前記文書収納部品８１は前記第一置きエリア２０の右側内壁に固定的に取り付けられる第一仕切板２６を含み、前記第一仕切板２６の左側には前記第一仕切板２６と連結される第二仕切板２８が設けられ、前記第二仕切板２８には通気することができる通気孔２７が設けられ、前記第一仕切板２６と前記第二仕切板２８との間にはコンピュータを置くことができ、前記第二仕切板２８の右側端面には前記第一仕切板２６と前記第二仕切板２８とをきつく引っかかることができる挟みロッド４２が固定的に取り付けられ、前記第二仕切板２８の左側端面にはチラシファイルを載せることができるフォルダ３０が固定的に取り付けられ、フォルダ３０の前側端面には固定台３４が固定的に取り付けられ、前記固定台３４の中には引掛り歯溝４８が上下に対称的に設けられ、前記引掛り歯溝４８の中にはスライド引掛り歯５０がスライドできるように係合取り付けられ、前記スライド引掛り歯５０の後側端面には連結ロッド３５がヒンジで連結されて取り付けられ、前記連結ロッド３５にはチラシファイルをきつく挟むことができる挟み３３がヒンジで連結されて取り付けられ、前記引掛り歯溝４８の右側には第一チャンバ５１が設けられ、前記第一チャンバ５１と前記引掛り歯溝４８との間にはスライドロッド５２がスライドできるように係合取り付けられ、前記スライドロッド５２の右側端面には前記スライド引掛り歯５０を引っかからせることができる固定引掛り歯４９が固定的に取り付けられ、前記第一チャンバ５１の左側内壁には前記第一チャンバ５１と連通しているスライドロッド溝５３が設けられ、前記スライドロッド５２は前記スライドロッド溝５３とスライドできるように係合取り付けられ、前記スライドロッド溝５３の左側内壁と前記スライドロッド５２との間にはプッシュばね５４が固定的に取り付けられ、前記スライドロッド５２の前側端面にはプッシュブロック５５が固定的に取り付けられ、前記第一チャンバ５１と前記固定台３４の一側端面との間には前記固定引掛り歯４９と前記スライド引掛り歯５０が引っかかる状態から離脱すること制御することができるプッシュロッド３６がスライドできるように係合取り付けられ、前記プッシュロッド３６は前記プッシュブロック５５とスライドできるように係合取り付けられ、前記第二置きエリア２１の中には他収納部品８２が設けられ、前記他収納部品は前記第二置きエリア２１の内部に設けられる第二仕切布１２を含み、前記第一仕切布１５の左側端面にはペンを置くことができるペンポケット１９が設けられ、前記バックパック１０には第一ファスナー１１と第二ファスナー１３とが固定的に連結され、前記第二置きエリア２１の底壁には可動式電源に連結することができるプラグ４７が設けられ、前記プラグ４７には充電ケーブル２４が固定的に連結され、前記充電ケーブル２４が前記バックパック１０の内部に固定的に取り付けられ、前記バックパック１０の右側端面には充電することができる充電ポート２３が設けられ、前記充電ポート２３は前記充電ケーブル２４と固定的に連結されている。
【００１１】
前記文書収納部品８１は前記第一仕切板２６の中に設けられる第二チャンバ３７も含み、前記第二チャンバ３７の底壁には前記第二チャンバ３７と連通しているスライダー溝４５が設けられ、前記スライダー溝４５の中にはスライダー４４がスライドできるように係合取り付けられ、前記スライダー４４と前記スライダー溝４５の底壁との間には引掛りばね４６が固定的に取り付けられ、前記挟みロッド４２は前記第一仕切板２６とスライドできるように係合され、前記挟みロッド４２には第一固定ピン４３が設けられ、前記第一固定ピン４３は前記スライダー４４の引掛り溝に引っかかることができ、前記第二チャンバ３７の左内壁と前記第一仕切板２６の側端面との間にはボタン３８がスライドできるように係合取り付けられ、前記ボタン３８には第二固定ピン４１が固定的に取り付けられ、前記第二固定ピン４１は前記スライダー４４とスライドできるように係合取り付けられ、前記第二仕切板２８の右側端面にはスライド挟み５６が上下に対称的にスライドできるように係合取り付けられ、前記第一仕切布１５の右側端面には文書ポケット２２が固定的に取り付けられ、前記バックパック１０には前記第一置きエリア２０を開けることができる第三ファスナー１４が固定的に取り付けられ、それにより、第三ファスナー１４が引き離された後、第一置きエリア２０の内部にオフィス文書を置くことができ、ボタン３８を押すと、ボタン３８と第二固定ピン４１とがスライダー４４を押し下降させ、スライダー４４の引掛り溝と第一固定ピン４３とが引っかからなくなり、挟みロッド４２は第一仕切板２６から取り出すことができ、コンピュータは第一仕切板２６の右側端面に置くことができ、スライド挟み５６はコンピュータを挟み、コンピュータを置いた後に挟みロッド４２を第一仕切板２６の中に押し込み、第一固定ピン４３はスライダー４４ときつく引っかかり、コンピュータが置かれ、フォルダ３０を開き、プッシュロッド３６を押すと、プッシュロッド３６はスライドロッド５２を押し動かして左に移動させ、固定引掛り歯４９とスライド引掛り歯５０とが引っかからなくなり、挟み３３を左に引き、ルーズリーフファイルをフォルダ３０に置き、入れた後、挟み３３を押し、挟み３３はスライド引掛り歯５０を押し動かして上下両側に移動させ、そして、固定引掛り歯４９と引っかかり、挟み３３はフォルダーをしっかりと挟むことができる。
【００１２】
利用するとき、第三ファスナー１４が引き離された後、第一置きエリア２０の内部にはオフィス文書を置くことができ、ボタン３８を押すと、ボタン３８と第二固定ピン４１とがスライダー４４を押し下げて下降させることで、スライダー４４の引掛り溝は第一固定ピン４３と引っかからなくなり、挟みロッド４２は第一仕切板２６から取り出すことができ、コンピュータは第一仕切板２６の右側端面に置くことができ、スライド挟み５６はコンピュータを挟み、コンピュータを置いた後に挟みロッド４２を第一仕切板２６の中に押し込み、第一固定ピン４３はスライダー４４ときつく引っかかり、コンピュータが置かれ、リーフレットファイルを置く時で、フォルダ３０を開き、プッシュロッド３６を押すと、プッシュロッド３６はスライドロッド５２を押し動かして左に移動させ、固定引掛り歯４９とスライド引掛り歯５０が引っかからなくなり、挟み３３を左に引き、ルーズリーフファイルをフォルダ３０に置き、入れた後、挟み３３を押し、挟み３３はスライド引掛り歯５０を押し動かして上下両側に移動させ、そして、固定引掛り歯４９と引っかかり、挟み３３はファイルをしっかりと挟むことができ、第二置きエリア２１の中には他のいくつかのアイテムを置くことができ、ペン袋１９の中にペンを入れ、第一ファスナー１１を引いた後、プラグ４７を可動式電源に連結させ、充電ポート２３は充電することができ、放熱エリア２５は放熱することができ、一時袋１８はペンなどの小物を一時的に置くことができる。
【００１３】
本発明の有益な効果は：本発明は、チラシファイルを直接しっかりと配置することができ、ファイルに折り込みなどの欠陥がないようにし、コンピュータはバックパックに固定されることができ、壊れにくく、ファイルエリアは他のエリアとが分離されており、使いやすく、充電ポートは接触しやすいエリアに設けられ、肩ベルトには肩への圧力を軽減するためのスポンジバブルが設けられ、バックパックの使用を人々のニーズにより適したものにし、宣伝価値がある。
【００１４】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020157023.tif 000003
【図２】
2020157023.tif 000004
【図３】
2020157023.tif 000005
【図４】
2020157023.tif 000006
【図５】
2020157023.tif 000007
【図６】
2020157023.tif 000008
【手続補正書】
【提出日】令和1年6月17日(2019.6.17)
【手続補正１】
【補正対象書類名】特許請求の範囲
【補正対象項目名】全文
【補正方法】変更
【補正の内容】
【特許請求の範囲】
【請求項１】
バックパックを含み、前記バックパックには使い易い外側部品が設けられ、前記外側部品は前記バックパックの右側端面に固定的に設けられる放熱エリアを含み、前記放熱エリアは汗が出る時に放熱することができ、前記バックパックの右側端面には肩ベルトが固定的に取り付けられ、前記肩ベルトには肩への圧力を軽減するためのスポンジバブルが固定的に設けられ、前記肩ベルトの右側端面にはペンなどの小物を一時的に置くための一時袋が固定的に設けられ、前記バックパックの中には第一仕切布が固定的に設けられ、前記第一仕切布は前記バックパックの内部を第一置きエリアと第二置きエリアとに分割し、前記第一置きエリアの中には文書収納部品が設けられ、前記文書収納部品は前記第一置きエリアの右側内壁に固定的に取り付けられる第一仕切板を含み、前記第一仕切板の左側には前記第一仕切板と連結される第二仕切板が設けられ、前記第二仕切板には通気することができる通気孔が設けられ、前記第一仕切板と前記第二仕切板との間にはコンピュータを置くことができ、前記第二仕切板の右側端面には前記第一仕切板と前記第二仕切板とをきつく引っかかることができる挟みロッドが固定的に取り付けられ、前記第二仕切板の左側端面にはチラシファイルを載せることができるフォルダが固定的に取り付けられ、フォルダの前側端面には固定台が固定的に取り付けられ、前記固定台の中には引掛り歯溝が上下に対称的に設けられ、前記引掛り歯溝の中にはスライド引掛り歯がスライドできるように係合取り付けられ、前記スライド引掛り歯の後側端面には連結ロッドがヒンジで連結されて取り付けられ、前記連結ロッドにはチラシファイルをきつく挟むことができる挟みがヒンジで連結されて取り付けられ、前記引掛り歯溝の左側には第一チャンバが設けられ、前記第一チャンバと前記引掛り歯溝との間にはスライドロッドがスライドできるように係合取り付けられ、前記スライドロッドの右側端面には前記スライド引掛り歯を引っかからせることができる固定引掛り歯が固定的に取り付けられ、前記第一チャンバの左側内壁には前記第一チャンバと連通しているスライドロッド溝が設けられ、前記スライドロッドは前記スライドロッド溝とスライドできるように係合取り付けられ、前記スライドロッド溝の左側内壁と前記スライドロッドとの間にはプッシュばねが固定的に取り付けられ、前記スライドロッドの前側端面にはプッシュブロックが固定的に取り付けられ、前記第一チャンバと前記固定台の一側端面との間には前記固定引掛り歯と前記スライド引掛り歯が引っかかる状態から離脱すること制御することができるプッシュロッドがスライドできるように係合取り付けられ、前記プッシュロッドは前記プッシュブロックとスライドできるように係合取り付けられ、前記第二置きエリアの中には他収納部品が設けられ、前記他収納部品は前記第二置きエリアの内部に設けられる第二仕切布を含み、前記第一仕切布の左側端面にはペンを置くことができるペンポケットが設けられ、前記バックパックには第一ファスナーと第二ファスナーとが固定的に連結され、前記第二置きエリアの底壁には可動式電源に連結することができるプラグが設けられ、前記プラグには充電ケーブルが固定的に連結され、前記充電ケーブルが前記バックパックの内部に固定的に取り付けられ、前記バックパックの右側端面には充電することができる充電ポートが設けられ、前記充電ポートは前記充電ケーブルと固定的に連結されていることを特徴とする旅用バックパック。
【請求項２】
前記文書収納部品は前記第一仕切板の中に設けられる第二チャンバも含み、前記第二チャンバの底壁には前記第二チャンバと連通しているスライダー溝が設けられ、前記スライダー溝の中にはスライダーがスライドできるように係合取り付けられ、前記スライダーと前記スライダー溝の底壁との間には引掛りばねが固定的に取り付けられ、前記挟みロッドは前記第一仕切板とスライドできるように係合され、前記挟みロッドには第一固定ピンが設けられ、前記第一固定ピンは前記スライダーの引掛り溝に引っかかることができ、前記第二チャンバの左内壁と前記第一仕切板の側端面との間にはボタンがスライドできるように係合取り付けられ、前記ボタンには第二固定ピンが固定的に取り付けられ、前記第二固定ピンは前記スライダーとスライドできるように係合取り付けられ、前記第二仕切板の右側端面にはスライド挟みが上下に対称的にスライドできるように係合取り付けられ、前記第一仕切布の右側端面には文書ポケットが固定的に取り付けられ、前記バックパックには前記第一置きエリアを開けることができる第三ファスナーが固定的に取り付けられ、それにより、第三ファスナーが引き離された後、第一置きエリアの内部にオフィス文書を置くことができ、ボタンを押すと、ボタンと第二固定ピンとがスライダーを押し下降させ、スライダーの引掛り溝と第一固定ピンとが引っかからなくなり、挟みロッドは第一仕切板から取り出すことができ、コンピュータは第一仕切板の左側端面に置くことができ、スライド挟みはコンピュータを挟み、コンピュータを置いた後に挟みロッドを第一仕切板の中に押し込み、第一固定ピンはスライダーときつく引っかかり、コンピュータが置かれ、フォルダを開き、プッシュロッドを押すと、プッシュロッドはスライドロッドを押し動かして左に移動させ、固定引掛り歯とスライド引掛り歯とが引っかからなくなり、挟みを左に引き、ルーズリーフファイルをフォルダに置き、入れた後、挟みを押し、挟みはスライド引掛り歯を押し動かして上下両側に移動させ、そして、固定引掛り歯と引っかかり、挟みはフォルダーをしっかりと挟むことができることを特徴とする請求項１に記載の旅用バックパック。
【手続補正２】
【補正対象書類名】明細書
【補正対象項目名】全文
【補正方法】変更
【補正の内容】
【発明の詳細な説明】
【技術分野】
【０００１】
本発明は生活用品分野を取り上げて、具体的には旅用バックパックである。
【背景技術】
【０００２】
出張では、バックパックの中には通常いくつかのファイルがあり、現在、旅用バックパックの中には書類や他の本が積まれているとき、ファイルや本が折りたたまれることが時々発生し、保管をきれいにしなく、バックパックの中には開口が小さく、バックパックの内部の私物は事務用品と混合され、見つけにくく、バックパックに入れたものが重すぎると、肩ひもは肩に痛みを感じさせることがあり、長期使用には適しない。
【先行技術文献】
【特許文献】
【０００３】
【特許文献１】中国特許出願公開第１０４４３３１２０号明細書
【発明の概要】
【発明が解決しようとする課題】
【０００４】
本発明は旅用バックパックを提供し、上記現在の技術中の問題を解決し、設備の実用性を高めることを目的とする。
【課題を解決するための手段】
【０００５】
本発明の旅用バックパックは、バックパックを含み、前記バックパックには使い易い外側部品が設けられ、前記外側部品は前記バックパックの右側端面に固定的に設けられる放熱エリアを含み、前記放熱エリアは汗が出る時に放熱することができ、前記バックパックの右側端面には肩ベルトが固定的に取り付けられ、前記肩ベルトには肩への圧力を軽減するためのスポンジバブルが固定的に設けられ、前記肩ベルトの右側端面にはペンなどの小物を一時的に置くための一時袋が固定的に設けられ、前記バックパックの中には第一仕切布が固定的に設けられ、前記第一仕切布は前記バックパックの内部を第一置きエリアと第二置きエリアとに分割し、前記第一置きエリアの中には文書収納部品が設けられ、前記文書収納部品は前記第一置きエリアの右側内壁に固定的に取り付けられる第一仕切板を含み、前記第一仕切板の左側には前記第一仕切板と連結される第二仕切板が設けられ、前記第二仕切板には通気することができる通気孔が設けられ、前記第一仕切板と前記第二仕切板との間にはコンピュータを置くことができ、前記第二仕切板の右側端面には前記第一仕切板と前記第二仕切板とをきつく引っかかることができる挟みロッドが固定的に取り付けられ、前記第二仕切板の左側端面にはチラシファイルを載せることができるフォルダが固定的に取り付けられ、フォルダの前側端面には固定台が固定的に取り付けられ、前記固定台の中には引掛り歯溝が上下に対称的に設けられ、前記引掛り歯溝の中にはスライド引掛り歯がスライドできるように係合取り付けられ、前記スライド引掛り歯の後側端面には連結ロッドがヒンジで連結されて取り付けられ、前記連結ロッドにはチラシファイルをきつく挟むことができる挟みがヒンジで連結されて取り付けられ、前記引掛り歯溝の左側には第一チャンバが設けられ、前記第一チャンバと前記引掛り歯溝との間にはスライドロッドがスライドできるように係合取り付けられ、前記スライドロッドの右側端面には前記スライド引掛り歯を引っかからせることができる固定引掛り歯が固定的に取り付けられ、前記第一チャンバの左側内壁には前記第一チャンバと連通しているスライドロッド溝が設けられ、前記スライドロッドは前記スライドロッド溝とスライドできるように係合取り付けられ、前記スライドロッド溝の左側内壁と前記スライドロッドとの間にはプッシュばねが固定的に取り付けられ、前記スライドロッドの前側端面にはプッシュブロックが固定的に取り付けられ、前記第一チャンバと前記固定台の一側端面との間には前記固定引掛り歯と前記スライド引掛り歯が引っかかる状態から離脱すること制御することができるプッシュロッドがスライドできるように係合取り付けられ、前記プッシュロッドは前記プッシュブロックとスライドできるように係合取り付けられ、前記第二置きエリアの中には他収納部品が設けられ、前記他収納部品は前記第二置きエリアの内部に設けられる第二仕切布を含み、前記第一仕切布の左側端面にはペンを置くことができるペンポケットが設けられ、前記バックパックには第一ファスナーと第二ファスナーとが固定的に連結され、前記第二置きエリアの底壁には可動式電源に連結することができるプラグが設けられ、前記プラグには充電ケーブルが固定的に連結され、前記充電ケーブルが前記バックパックの内部に固定的に取り付けられ、前記バックパックの右側端面には充電することができる充電ポートが設けられ、前記充電ポートは前記充電ケーブルと固定的に連結されている。
【０００６】
前記文書収納部品は前記第一仕切板の中に設けられる第二チャンバも含み、前記第二チャンバの底壁には前記第二チャンバと連通しているスライダー溝が設けられ、前記スライダー溝の中にはスライダーがスライドできるように係合取り付けられ、前記スライダーと前記スライダー溝の底壁との間には引掛りばねが固定的に取り付けられ、前記挟みロッドは前記第一仕切板とスライドできるように係合され、前記挟みロッドには第一固定ピンが設けられ、前記第一固定ピンは前記スライダーの引掛り溝に引っかかることができ、前記第二チャンバの左内壁と前記第一仕切板の側端面との間にはボタンがスライドできるように係合取り付けられ、前記ボタンには第二固定ピンが固定的に取り付けられ、前記第二固定ピンは前記スライダーとスライドできるように係合取り付けられ、前記第二仕切板の右側端面にはスライド挟みが上下に対称的にスライドできるように係合取り付けられ、前記第一仕切布の右側端面には文書ポケットが固定的に取り付けられ、前記バックパックには前記第一置きエリアを開けることができる第三ファスナーが固定的に取り付けられている。
【発明の効果】
【０００７】
本発明の有益な効果は：本発明は、チラシファイルを直接しっかりと配置することができ、ファイルに折り込みなどの欠陥がないようにし、コンピュータはバックパックに固定されることができ、壊れにくく、ファイルエリアは他のエリアとが分離されており、使いやすく、充電ポートは接触しやすいエリアに設けられ、肩ベルトには肩への圧力を軽減するためのスポンジバブルが設けられ、バックパックの使用を人々のニーズにより適したものにし、宣伝価値がある。
【図面の簡単な説明】
【０００８】
【図１】図１は本発明の全体構造の概略図
【図２】図２は図１のＡ―Ａの断面構造概略図
【図３】図３は図１のＢの拡大構造略図
【図４】図４は図１のＣの拡大構造図
【図５】図５は図１のＤの拡大構造略図
【図６】図６は図２のＥ―Ｅの断面構造図
【発明を実施するための形態】
【０００９】
下記に図１〜６を合わせて本発明を詳しく説明する。説明を便利にさせるように、ここで後文に出る方位を下記の通りに規定する：下記の上下左右前後という方向は図１自身の投影関係の上下左右前後の方向と一致している。
【００１０】
図１〜６を参照し、本発明の実施例の旅用バックパックは、バックパック１０を含み、前記バックパック１０には使い易い外側部品８０が設けられ、前記外側部品８０は前記バックパック１０の右側端面に固定的に設けられる放熱エリア２５を含み、前記放熱エリア２５は汗が出る時に放熱することができ、前記バックパック１０の右側端面には肩ベルト１６が固定的に取り付けられ、前記肩ベルト１６には肩への圧力を軽減するためのスポンジバブル１７が固定的に設けられ、前記肩ベルト１６の右側端面にはペンなどの小物を一時的に置くための一時袋１８が固定的に設けられ、前記バックパック１０の中には第一仕切布１５が固定的に設けられ、前記第一仕切布１５は前記バックパック１０の内部を第一置きエリア２０と第二置きエリア２１とに分割し、前記第一置きエリア２０の中には文書収納部品８１が設けられ、前記文書収納部品８１は前記第一置きエリア２０の右側内壁に固定的に取り付けられる第一仕切板２６を含み、前記第一仕切板２６の左側には前記第一仕切板２６と連結される第二仕切板２８が設けられ、前記第二仕切板２８には通気することができる通気孔２７が設けられ、前記第一仕切板２６と前記第二仕切板２８との間にはコンピュータを置くことができ、前記第二仕切板２８の右側端面には前記第一仕切板２６と前記第二仕切板２８とをきつく引っかかることができる挟みロッド４２が固定的に取り付けられ、前記第二仕切板２８の左側端面にはチラシファイルを載せることができるフォルダ３０が固定的に取り付けられ、フォルダ３０の前側端面には固定台３４が固定的に取り付けられ、前記固定台３４の中には引掛り歯溝４８が上下に対称的に設けられ、前記引掛り歯溝４８の中にはスライド引掛り歯５０がスライドできるように係合取り付けられ、前記スライド引掛り歯５０の後側端面には連結ロッド３５がヒンジで連結されて取り付けられ、前記連結ロッド３５にはチラシファイルをきつく挟むことができる挟み３３がヒンジで連結されて取り付けられ、前記引掛り歯溝４８の左側には第一チャンバ５１が設けられ、前記第一チャンバ５１と前記引掛り歯溝４８との間にはスライドロッド５２がスライドできるように係合取り付けられ、前記スライドロッド５２の右側端面には前記スライド引掛り歯５０を引っかからせることができる固定引掛り歯４９が固定的に取り付けられ、前記第一チャンバ５１の左側内壁には前記第一チャンバ５１と連通しているスライドロッド溝５３が設けられ、前記スライドロッド５２は前記スライドロッド溝５３とスライドできるように係合取り付けられ、前記スライドロッド溝５３の左側内壁と前記スライドロッド５２との間にはプッシュばね５４が固定的に取り付けられ、前記スライドロッド５２の前側端面にはプッシュブロック５５が固定的に取り付けられ、前記第一チャンバ５１と前記固定台３４の一側端面との間には前記固定引掛り歯４９と前記スライド引掛り歯５０が引っかかる状態から離脱すること制御することができるプッシュロッド３６がスライドできるように係合取り付けられ、前記プッシュロッド３６は前記プッシュブロック５５とスライドできるように係合取り付けられ、前記第二置きエリア２１の中には他収納部品８２が設けられ、前記他収納部品は前記第二置きエリア２１の内部に設けられる第二仕切布１２を含み、前記第一仕切布１５の左側端面にはペンを置くことができるペンポケット１９が設けられ、前記バックパック１０には第一ファスナー１１と第二ファスナー１３とが固定的に連結され、前記第二置きエリア２１の底壁には可動式電源に連結することができるプラグ４７が設けられ、前記プラグ４７には充電ケーブル２４が固定的に連結され、前記充電ケーブル２４が前記バックパック１０の内部に固定的に取り付けられ、前記バックパック１０の右側端面には充電することができる充電ポート２３が設けられ、前記充電ポート２３は前記充電ケーブル２４と固定的に連結されている。
【００１１】
前記文書収納部品８１は前記第一仕切板２６の中に設けられる第二チャンバ３７も含み、前記第二チャンバ３７の底壁には前記第二チャンバ３７と連通しているスライダー溝４５が設けられ、前記スライダー溝４５の中にはスライダー４４がスライドできるように係合取り付けられ、前記スライダー４４と前記スライダー溝４５の底壁との間には引掛りばね４６が固定的に取り付けられ、前記挟みロッド４２は前記第一仕切板２６とスライドできるように係合され、前記挟みロッド４２には第一固定ピン４３が設けられ、前記第一固定ピン４３は前記スライダー４４の引掛り溝に引っかかることができ、前記第二チャンバ３７の左内壁と前記第一仕切板２６の側端面との間にはボタン３８がスライドできるように係合取り付けられ、前記ボタン３８には第二固定ピン４１が固定的に取り付けられ、前記第二固定ピン４１は前記スライダー４４とスライドできるように係合取り付けられ、前記第二仕切板２８の右側端面にはスライド挟み５６が上下に対称的にスライドできるように係合取り付けられ、前記第一仕切布１５の右側端面には文書ポケット２２が固定的に取り付けられ、前記バックパック１０には前記第一置きエリア２０を開けることができる第三ファスナー１４が固定的に取り付けられ、それにより、第三ファスナー１４が引き離された後、第一置きエリア２０の内部にオフィス文書を置くことができ、ボタン３８を押すと、ボタン３８と第二固定ピン４１とがスライダー４４を押し下降させ、スライダー４４の引掛り溝と第一固定ピン４３とが引っかからなくなり、挟みロッド４２は第一仕切板２６から取り出すことができ、コンピュータは第一仕切板２６の左側端面に置くことができ、スライド挟み５６はコンピュータを挟み、コンピュータを置いた後に挟みロッド４２を第一仕切板２６の中に押し込み、第一固定ピン４３はスライダー４４ときつく引っかかり、コンピュータが置かれ、フォルダ３０を開き、プッシュロッド３６を押すと、プッシュロッド３６はスライドロッド５２を押し動かして左に移動させ、固定引掛り歯４９とスライド引掛り歯５０とが引っかからなくなり、挟み３３を左に引き、ルーズリーフファイルをフォルダ３０に置き、入れた後、挟み３３を押し、挟み３３はスライド引掛り歯５０を押し動かして上下両側に移動させ、そして、固定引掛り歯４９と引っかかり、挟み３３はフォルダーをしっかりと挟むことができる。
【００１２】
利用するとき、第三ファスナー１４が引き離された後、第一置きエリア２０の内部にはオフィス文書を置くことができ、ボタン３８を押すと、ボタン３８と第二固定ピン４１とがスライダー４４を押し下げて下降させることで、スライダー４４の引掛り溝は第一固定ピン４３と引っかからなくなり、挟みロッド４２は第一仕切板２６から取り出すことができ、コンピュータは第一仕切板２６の左側端面に置くことができ、スライド挟み５６はコンピュータを挟み、コンピュータを置いた後に挟みロッド４２を第一仕切板２６の中に押し込み、第一固定ピン４３はスライダー４４ときつく引っかかり、コンピュータが置かれ、リーフレットファイルを置く時で、フォルダ３０を開き、プッシュロッド３６を押すと、プッシュロッド３６はスライドロッド５２を押し動かして左に移動させ、固定引掛り歯４９とスライド引掛り歯５０が引っかからなくなり、挟み３３を左に引き、ルーズリーフファイルをフォルダ３０に置き、入れた後、挟み３３を押し、挟み３３はスライド引掛り歯５０を押し動かして上下両側に移動させ、そして、固定引掛り歯４９と引っかかり、挟み３３はファイルをしっかりと挟むことができ、第二置きエリア２１の中には他のいくつかのアイテムを置くことができ、ペン袋１９の中にペンを入れ、第一ファスナー１１を引いた後、プラグ４７を可動式電源に連結させ、充電ポート２３は充電することができ、放熱エリア２５は放熱することができ、一時袋１８はペンなどの小物を一時的に置くことができる。
【００１３】
本発明の有益な効果は：本発明は、チラシファイルを直接しっかりと配置することができ、ファイルに折り込みなどの欠陥がないようにし、コンピュータはバックパックに固定されることができ、壊れにくく、ファイルエリアは他のエリアとが分離されており、使いやすく、充電ポートは接触しやすいエリアに設けられ、肩ベルトには肩への圧力を軽減するためのスポンジバブルが設けられ、バックパックの使用を人々のニーズにより適したものにし、宣伝価値がある。
【００１４】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。